(57)【要約】【課題】本発明は、通信機能と撮影機能とを有する電子機器において、ホールド性及び操作性の向上と共に通信機能性を向上可能な電子機器を提供する。【解決手段】  デジタルスチルカメラ１は本体前面２と本体背面３とを貫通するように開口部４が設けられており、開口部４によって区切られたカメラ１本体の小さい体積を有する部分に無線通信部２３とアンテナ２４を設ける。また、カメラ上面にはシャッターボタン２１が配置されており、ユーザが図示のように開口部４に手を入れてカメラ１をホールドする際に親指でシャッタースイッチ２１を操作しやすい位置に設ける。このような配置をとることにより、ホールド性、操作性を向上させるとともに無線通信部２３およびアンテナ２４は手に覆われることなく、無線通信の際にアンテナ特性（周波数特性）が変化したり、パワーの減衰など影響を及ぼすことが少なくなる。【選択図】    図３
2005167366.tif 000002
【特許請求の範囲】
【請求項１】
第一の開口縁を有する前面と、
第２の開口縁を有する背面と、
前記前面の外周と前記背面の外周とを接続する環状の外壁と、
前記第１の開口縁と前記第２の開口縁とを接続する環状の内壁と、
前記前面と前記背面と前記外壁と前記内壁とで構成される本体と、
前記前面に設けられる撮像部と、
前記本体内に設けられ前記撮像部で撮影されたデータを送信可能な無線通信部と
を具備することを特徴とする電子機器。
【請求項２】
前記電子機器は、前記本体内に前記撮像部で撮影されたデータを処理する処理回路を有し、
前記処理回路は、前記無線通信部に対し前記内壁を挟んで反対で且つ前記内壁と前記外壁との間に設けられることを特徴とする請求項１に記載の電子機器。
【請求項３】
前記電子機器は、前記外壁に前記撮像部による撮影指示が可能な操作部が設けられていることを特徴とする請求項１または２に記載の電子機器。
【請求項４】
本体と
凹部を有し、前記凹部が前記本体の端部に接する第１の位置と、前記凹部が前記本体の端部に接しない第２の位置との間で摺動可能に前記本体に接続される摺動部と、
前記本体に設けられる撮像部と、
前記摺動部内に設けられ前記撮像部で撮影されたデータを送信可能な無線通信部と、
を具備することを特徴とする電子機器。
【請求項５】
前記電子機器は、前記本体内に前記撮像部で撮影されたデータを処理する処理回路を有することを特徴とする請求項４に記載の電子機器。
【請求項６】
前記電子機器は、前記本体の外面に前記撮像部による撮影指示が可能な操作部が設けられていることを特徴とする請求項４または５に記載の電子機器。
【請求項７】
第一の開口縁を有する前面と、
第２の開口縁を有する背面と、
前記前面の外周と前記背面の外周とを接続する環状の外壁と、
前記第１の開口縁と前記第２の開口縁とを接続する環状の内壁と、
前記内壁に設けられ、第１の位置と第２の位置との間で移動可能な第１の操作部と
前記前面に設けられ、前記第１の操作部が前記第１の位置である場合に操作可能な第２の操作部と
を有することを特徴とする電子機器。
【請求項８】
前記電子機器は、前記本体内に前記撮像部で撮影されたデータを処理する処理回路を有し、
前記処理回路は、前記無線通信部に対し前記内壁を挟んで反対で且つ前記内壁と前記外壁との間に設けられることを特徴とする請求項１に記載の電子機器。
【請求項９】
前記電子機器は、前記外壁に前記撮像部による撮影指示が可能な操作部が設けられていることを特徴とする請求項１に記載の電子機器。
【請求項１０】
前記第２の操作部は円盤形状であり、前記前面に対し円の中心を軸に回転することで前記電子機器の動作モードを変更可能であることを特徴とする請求項７に記載の電子機器。
【発明の詳細な説明】
【技術分野】
【０００１】
本発明は、撮影機能と通信機能とを有する電子機器に関する。
【背景技術】
【０００２】
近年、カメラなどの撮像デバイスを有する携帯型の電子機器が普及している。このような携帯型電子機器は、年々小型化が進み、薄型扁平の長方形状をしており、携帯性、ホールド性能を良好にし、操作性の向上を実現している。
【０００３】
また、デザイン性重視のため、凹凸が少ない形状になっており、手にしたときに、すべりやすく、携帯型電子機器を落下させてしまう恐れがあった。このような誤落対策として、環状の紐の一端を携帯型電子機器の本体に取り付け、環状部分を腕に通すことで落下を防止する方法がとられている。
【０００４】
また、他の誤落防止技術としては、携帯電話のキー操作部から裏面にかけて貫通している円形状の指を挿入可能な孔を設ける技術が知られている（例えば、特許文献１）。
【特許文献１】特開平９−１８３７３号公報
【発明の開示】
【発明が解決しようとする課題】
【０００５】
上記した従来技術では、環状の紐を腕に通すという面倒な行為が必要であるとともに、この環状の紐が引っかかったりして逆に電子機器を落としてしまう場合もある。
【０００６】
また、上記した特許文献１では、落下防止であり操作性の面での考慮がなされていない。概ね、携帯電話の場合片手で操作されることが考慮されるべきであるが、指を挿入した状態では、押下可能なボタンが限られてしまうという問題があった。
【０００７】
本発明は上記実情に鑑みなされたもので、通信機能と撮影機能とを有する電子機器において、ホールド性及び操作性の向上と共に通信機能性も向上可能な電子機器を提供することを目的とする。
【課題を解決するための手段】
【０００８】
上記目的を達成するために、請求項１にかかる発明では、第一の開口縁を有する前面と、第２の開口縁を有する背面と、前面の外周と背面の外周とを接続する環状の外壁と、第１の開口縁と第２の開口縁とを接続する環状の内壁と、前面と背面と外壁と内壁とで構成される本体と、前面に設けられる撮像部と、  本体内に設けられ撮像部で撮影されたデータを送信可能な無線通信部とを具備することを特徴とする。
【０００９】
このような構成により、通信機能と撮影機能とを有する電子機器において、ホールド性及び操作性の向上と共に通信機能性を向上可能な電子機器を提供することが可能である。
【００１０】
また、請求項４に係る発明では、本体と  凹部を有し、凹部が本体の端部に接する第１の位置と、凹部が本体の端部に接しない第２の位置との間で摺動可能に本体に接続される摺動部と、  本体に設けられる撮像部と、  摺動部内に設けられ撮像部で撮影されたデータを送信可能な無線通信部と、を具備することを特徴とする。
【００１１】
このような構成により、通信機能と撮影機能とを有する電子機器において、ホールド性及び操作性の向上と共に通信機能性を向上可能な電子機器を提供することが可能である。
【００１２】
また、請求項７に係る発明では第一の開口縁を有する前面と、第２の開口縁を有する背面と、前面の外周と背面の外周とを接続する環状の外壁と、第１の開口縁と第２の開口縁とを接続する環状の内壁と、内壁に設けられ、第１の位置と第２の位置との間で移動可能な第１の操作部と前面に設けられ、第１の操作部が第１の位置である場合に操作可能な第２の操作部とを有することを特徴とする。
【００１３】
このような構成により、通信機能と撮影機能とを有する電子機器において、ホールド性及び操作性の向上と共に通信機能性を向上可能な電子機器を提供することが可能である。
【発明の効果】
【００１４】
以上詳述したように本発明によれば、通信機能と撮影機能とを有する電子機器において、ホールド性及び操作性の向上と共に通信機能性を向上可能な電子機器を提供することが可能である。
【発明を実施するための最良の形態】
【００１５】
以下、図面を参照して本発明の実施形態を説明する。
【００１６】
図１に本発明の第１の実施形態に係る電子機器の斜視図を示す。第１の実施形態では、撮影機能付きの通信機器の例として、デジタルスチルカメラ（以後、カメラと称す）１を例に説明する。カメラ１は本体前面２と本体背面３とを貫通するように開口部４が設けられている。
【００１７】
開口部４は、本体前面２の長手方向に対する中心線（一点鎖線で示す）上に配置されないような位置に設けられる。本実施形態では、カメラのレンズがほぼ中心に位置し、この中心から離れる位置に開口部４が設けられる。
【００１８】
本実施形態では開口部４は、縦の長さがユーザの指が１本以上入る大きさ（約３センチ程度以上の幅）で設けられており、開口部は一つ設けられる場合や、複数設けられる場合が考えられる。但し、本実施形態では、開口部は一つ設けられる場合についてのみ説明する。
【００１９】
また、本実施形態では開口部４によって区切られたカメラ１の本体を大きい体積を有する方を第１の本体部５と称し、小さい体積を有する方を第２の本体部６と称して説明する。本実施形態では、第１の本体部５にはカメラ１としての撮影に関する機能部品が概ね収納され、第２の本体部６には、通信機能に関する機能が収納されている。
【００２０】
続いて図２に、第一の実施形態に係る電子機器のハードウェアブロック図を示す。
【００２１】
図２に示すようにカメラ１は、被写体の光学像を取り込む撮像レンズ１１を有する。この撮像レンズ１１を介して入力された光学像は、ＣＣＤ（Charge  Coupled  Device）１２に結像されて光電変換される。
【００２２】
そしてＣＣＤ１２から出力されるアナログの信号はＡ/Ｄ（Analog  to  Digital）変換回路１３に供給されてデジタル画像データ（以後、画像データと称す）に変換された後ＣＣＤ信号処理回路１４に供給される。
【００２３】
このＣＣＤ信号処理回路１４は、入力された画像データに所定の信号処理を施すことにより、該画像データを輝度信号成分と、色差信号成分とに変換する。
【００２４】
ＣＣＤ信号処理回路１４から得られる輝度信号成分および色差信号成分のデジタル画像データは、メモリコントローラ１５を介してワークメモリ１６に書き込まれる。
【００２５】
上記ＣＣＤ信号処理回路１４から出力される画像データは、メモリコントローラ１５を介して画像圧縮伸張処理回路１７へ供給され、所定の圧縮処理を施すことも可能である。
【００２６】
画像圧縮伸張処理回路１７により圧縮伸張処理が施された画像データは、メモリコントローラ１５を介してワークメモリ１６に一旦記録される。その後、ワークメモリ１６から読み出された画像データは、メモリコントローラ１５及びＣＰＵ１８を介してメモリカードスロット１９に導かれ、メモリカードスロット１９に着脱可能に接続されたメモリカード２０に記録される。
【００２７】
上記のような一連の処理動作は、シャッターボタンを含む操作部２１からの操作情報を受けて動作するＣＰＵ１８によって統括的に制御される。
【００２８】
また、カメラ１には表示部２１が設けられており、ビデオメモリ２２に保持されている画像データを表示することが可能である。なおカメラ１は図示しないバッテリを有し、バッテリからの電源供給により動作される。
【００２９】
さらに本実施形態では、カメラ１はＣＰＵ１８に接続される無線通信部２３及び無線通信機器との通信インターフェースとなるアンテナ２４とを有する。
【００３０】
無線通信部２３は、ＣＰＵ１８と接続されており、電源供給や、無線通信機能を使用可能な状態と使用不可能な状態との間で切替えられる。この無線通信部２３は例えばＩＥＥＥ８０２．１１ワーキンググループにより策定された８０２．１１ｂ、８０２．11a、８０２．１１ｇなどの無線通信方式や、Ｂｌｕｅｔｏｏｔｈ（ＴＭ）などの無線通信方式が用いられる。ＣＰＵ１８の制御の下、外部の無線通信デバイスと通信を確立したり、外部の無線通信デバイスに記録されている画像データを取得要求の信号を送出する。この無線通信部２３はアンテナ２４を介してメモリカード２０に保存されている画像データを送信したり、外部の機器からデータを受信することが可能である。
【００３１】
なお、上述したように本実施形態では無線通信部２３及びアンテナ２４は第２の本体部６に設けられ、それ以外のハードウェアは第１の本体部５に設けられているものとする。ただし操作部２１は、第１の本体部５、第２の本体部６のどちらに設けられても構わないし、第１の本体部５と第２の本体部６との両方に設けられても良い。
【００３２】
図３に本実施形態に係る電子機器の正面図を示す。
【００３３】
カメラ１は図示するように第２の本体部６に無線通信部２３とアンテナ２４とを有する。ユーザがカメラ１を操作する際は、図示の破線Ａで示すような形でカメラ１がホールドされる。このことにより、無線通信部２３及びアンテナ２４はユーザの手に覆われない。また、カメラ上面にはシャッターボタン２１が配置されており、ユーザが図示のように開口部４に手を入れてカメラ１をホールドする際に親指でシャッタースイッチ２１を操作しやすい位置に設ける。
【００３４】
このような配置をとることにより、無線通信部２３およびアンテナ２４は手に覆われることなく、無線通信の際にアンテナ特性（周波数特性）が変化したり、パワーの減衰など影響を及ぼすことが少なくなる。このことにより、本実施形態では、無線通信機器の性能を劣化させることが少なく且つホールド性能を向上させることが可能である。
【００３５】
続いて、図４に第１の実施形態の変形例を示す。この変形例では、シャッターボタン２５の位置が、ユーザが開口部４に手を挿入した場合、いずれかの指で触れることが可能なように本体前面２に設けられている。
【００３６】
このように第１の実施形態及び変形例によれば開口部４の近傍に操作頻度が高いスイッチ類を配置することで、ホールド性能を向上させ且つ、操作性の向上を図ることが可能である。
【００３７】
続いて本発明の第２の実施形態について説明する。
【００３８】
図５に第２の実施形態に係る電子機器の正面図を示す。第１の実施形態と同じ構成要素については、同じ番号を付し、その説明を省略する。
【００３９】
本実施形態では、カメラ１の第１の本体部５にスライド部３３が設けられており、このスライド部３３に摺動可能にコの字形状に成形された摺動部３１が設けられている。スライド部３３と摺動部３１とは摺動可能な接続なら、どのような接続形態でもよいが、この例については図６を用いて後述する。
【００４０】
摺動部３１は図５の（a）に示すように第１の本体部５と接している。摺動部３１が矢印Ｌ方向に摺動された場合、図５の（ｂ）に示すように摺動部３１と第１の本体部とによって開口部３２が形成されることになる。また、シャッターボタン２１は第１の本体部５の上面に配置され、図５（a）の状態と、図５（ｂ）の状態とでカメラ１の左端からシャッターボタン２１までの距離と、開口部３２からシャッターボタン２２までの距離とは大きく変わらないように設けられている。
【００４１】
図６にＸ−Ｘ線に沿った断面図を示す。
【００４２】
図６に示すようにスライド部３３と摺動部３１とは凹凸形状で噛み合わさって勘合されており、図に対し手前から奥方向へ摺動可能な構成となっている。このような構成であるため、スライド部３３と摺動部３１とは摺動方向以外には容易に外れない構成となっている。このような摺動機構により、持ち運ぶ場合や撮影の際は開口部３２を形成するように摺動部３１を摺動させ、カメラ１のホールド性が向上される。またバッグなどに入れて持ち運ぶ場合は、第１の本体部５側へ摺動させることにより図５（a）に示すようなコンパクト形状となる。
【００４３】
また、第２の実施形態ではカメラ１で撮影する場合以外に、持ち運ぶ際に摺動部３１をハンドルとして持ち運ぶことも可能である。
【００４４】
なお、無線通信部２３及びアンテナ２４は摺動部３１に設けても良いし、第１の本体部５に設けても良い。摺動部３１に設ける際は、第１の本体部５及び摺動部３１に穴をあけ、この穴を通るようにＣＰＵ１８と接続される同軸ケーブルを通すことが考えられる。
【００４５】
このように第２の実施形態では、開口部３２の近傍に操作頻度が高いスイッチ類を配置することで、ホールド性能を向上させ且つ、操作性の向上を図ることが可能である。
【００４６】
続いて、第３の実施形態について説明する。
【００４７】
第１の実施形態と同じ構成のものは、同じ番号を付しその説明を省略する。
【００４８】
第３の実施形態では、開口部４の第１の本体部５側の側壁にボタン４２が設けられ、さらに第１の本体前面２に動作モード選択ダイヤル兼シャッターボタン（以後、ダイヤルボタンと称す）４３が設けられている。ダイヤルボタン４２は、回転させることで、撮影モードや再生モードなどを選択可能であり、撮影モードの際にカメラ１側へ押下することでシャッターボタンとしての機能を持つものである。但し、ダイヤルボタン４３は、ボタン４２が押されている場合のみ押下可能な状態に保持される。ボタン４２が押されている状態とは、即ちユーザが開口部４に指を挿入しカメラ１をホールドする場合であり、このときにユーザの手によりボタン４２が押される状態となる。したがって、ユーザが開口部に指を挿入しカメラ１をホールドした場合に、ダイヤルボタン４３も押下することが可能である。このことにより、ダイヤルボタン４３が容易に押されたり、誤操作されることを防止する。
【００４９】
続いて、このダイヤルボタン４３のホールド機構について図８，９を用いて説明する。図８、図９にＹ−Ｙ線に沿った断面図を示す。
【００５０】
図８（a）はボタン４２が押されていない状態のＹ−Ｙ線に沿って上から見た断面図を示し、図８（ｂ）は、図８（a）のＺ方向から見た斜視図を示す。
【００５１】
ボタン４２には系止板４５が接続部４６を介して接続されており、ボタン４２が押されていない状態でダイヤルスイッチ４３が押されないようにカメラ４１内部でダイヤルスイッチを系止している。接続部４６はダイヤルスイッチ４３が押下された場合も、その動作位置上に位置しないように設けられる。また、ボタン４２は通常は弾性部材４７により開口部４側へ付勢されている。この不正により、ボタン４２が押されない限り系止板４５がダイヤルスイッチ４３が押下されることを防いでいる。
【００５２】
また、図９（a）はボタン４２が押されている状態のＹ−Ｙ線に沿って上から見た断面図を示し、図９（ｂ）は、図９（a）のＺ方向から見た斜視図を示す。
【００５３】
ボタン４２が押された場合、系止板４５が弾性部材４７の方向へ移動される。これによりダイヤルボタン４３は押下可能状態となり、ダイヤルスイッチ４３を押すことで撮影が可能となる。
【００５４】
このように第３の実施形態では、ホールド性能を保ちつつ、操作性能及び誤操作を防止可能な電子機器を提供することが可能である。
【００５５】
以上、詳述したように本発明では通信機能と撮影機能とを有する電子機器において、ホールド性及び操作性の向上と共に通信機能性を向上可能な電子機器を提供することが可能となる。また、第１の実施形態および第２の実施形態で示したような電子機器以外に、カメラつきの携帯電話などにも適用可能である。
【００５６】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５７】
【図１】第１の実施形態に係る電子機器の斜視図。
【図２】第１の実施形態に係る電子機器のハードウェアブロック図。
【図３】第１の実施形態に係る電子機器の正面図。
【図４】本実施形態の変形例に係る電子機器の正面図。
【図５】第２の実施形態に係る電子機器の正面図。
【図６】第２の実施形態に係るＸ−Ｘ線に沿った断面図。
【図７】第３の実施形態に係る電子機器の正面図。
【図８】（a）：ボタン４２が押されていない状態のＹ−Ｙ線に沿って上から見た断面図。（ｂ）：（a）のＺ方向から見た斜視図。
【図９】（a）：ボタン４２が押された状態のＹ−Ｙ線に沿って上から見た断面図。（ｂ）：（a）のＺ方向から見た斜視図。
【符号の説明】
【００５８】
１、４１…デジタルスチルカメラ、２…本体前面、３…本体背面、４、３２…開口部、５…第１の本体部、６…第２の本体部、１１…撮像レンズ、１２…ＣＣＤ、１３…Ａ／Ｄ変換回路、１４…ＣＣＤ信号処理回路、２１…操作部、２３…無線通信部、２４…アンテナ、２５…シャッターボタン、３１…摺動部、３３…スライド部、４２…ボタン、４３…ダイヤルスイッチ、４５…系止板、４６…接続部、４７…弾性部材
【図１】
2005167366.tif 000003
【図２】
2005167366.tif 000004
【図３】
2005167366.tif 000005
【図４】
2005167366.tif 000006
【図５】
2005167366.tif 000007
【図６】
2005167366.tif 000008
【図７】
2005167366.tif 000009
【図８】
2005167366.tif 000010
【図９】
2005167366.tif 000011